(57)【特許請求の範囲】
【請求項１】
構造物の基礎部に設置される免震装置の周囲を耐火被覆材で覆うように取付ける免震装置の耐火被覆材の取付け構造において、
前記耐火被覆材は、ポリイソブチレンゴムシートの外層被覆材と、その内側に配設する耐炎化クロス、セラミックファイバーとガラス繊維との混合材から成る内層被覆材との積層構造から構成され、前記耐火被覆材の上部取付け縁部を、外層被覆材の上部取付け縁部の少なくとも表面側に耐炎化クロスを貼付け、リング状のクランプ部材を介して上部構造物のコンクリート台座に締め付け固定して成る免震装置の耐火被覆材の取付け構造。
【請求項２】
前記外層被覆材を、発泡性のポリイソブチレンゴムにより形成する請求項１に記載の免震装置の耐火被覆材の取付け構造。
【請求項３】
前記リング状のクランプ部材が、Ｔボルトクランプである請求項１または２に記載の免震装置の耐火被覆材の取付け構造。
【発明の詳細な説明】
【０００１】
【発明の属する技術分野】
この発明は、免震装置の耐火被覆材の取付け構造にかかわり、更に詳しくは耐火被覆材を複数本の締結部材を用いることなく簡単に取付け，取外すことが出来る免震装置の耐火被覆材の取付け構造に関するものである。
【０００２】
【従来の技術】
近年、ビル、マンション等の構造物の免震装置として、鋼板とゴムシートとを交互に積層させた積層ゴム製の免震装置が使用されているが、この免震装置はゴム材料を主材としているため、構造物の火災時に免震装置を保護し、かつ免震性能を維持させるため免震装置の周囲を耐火被覆材で覆うことが一般に行われている。
【０００３】
この場合、耐火被覆材は火災により免震装置に影響がないように耐火性能を保持していることは勿論の事、地震時の免震装置の剪断変形に追従し得るように構成し、更に免震装置の補修、点検等において簡単に取付け，取外しができるようにする必要がある。
【０００４】
【発明が解決しようとする課題】
ところで、従来の免震装置における耐火被覆材は、セラミックブランケット等の不燃断熱材にてシート状に形成され、免震装置の周囲を覆い、かつ剪断変形に追従するように構成され、耐火被覆材の上部取付け縁部は、上部構造物のコンクリート台座の側面に埋設された複数の埋め込みナットにボルト等の締結部材を介して固定されていた。
【０００５】
然しながら、耐火被覆材の取付けに際しては、耐火被覆材の所定位置にボルト取付け用の孔を形成し、更に耐火被覆材を支持した状態で複数本のボルトで順番に固定する必要があるために、多くの手間と時間がかかり、また保守点検の際にも、一々ボルトを取外す作業を行う必要があるため、作業能率が極めて悪いと言う問題があった。
【０００６】
この発明の目的は、耐火被覆材に取付け用の孔等を形成することなく、簡単にしかも短時間に取付け，取外しが出来る免震装置の耐火被覆材の取付け構造を提供することにある。
【０００７】
【課題を解決するための手段】
この発明は上記目的を達成するため、耐火被覆材は、ポリイソブチレンゴムシートの外層被覆材と、その内側に配設する耐炎化クロス、セラミックファイバーとガラス繊維との混合材から成る内層被覆材との積層構造から構成され、前記耐火被覆材の上部取付け縁部を、外層被覆材の上部取付け縁部の少なくとも表面側に耐炎化クロスを貼付け、リング状のクランプ部材を介して上部構造物のコンクリート台座に締め付け固定したことを要旨とするものである。
【０００８】
この発明は、上記のように構成され、耐火被覆材の取付け施工時には、表面側に貼付けた耐炎化クロスを介してリング状のクランプ部材により取付けることが出来るので、耐火被覆材に取付け用の孔等を形成することなく、簡単にしかも短時間に取付け，取外しが出来る。また、クランプ部材は、長さ、幅を自由に設定できるので、免震装置の大きさに応じて任意に使用出来る。
【０００９】
【発明の実施の形態】
以下、添付図面に基づき、この発明の実施形態を説明する。
【００１０】
図１は、この発明の実施形態を示す免震装置を設置した状態の半断面図を示し、この免震装置１は、複数枚の鋼板１ａとゴムシート１ｂとを交互に積層させて構成し、免震装置１の上部フランジ２と下部フランジ３は、上部構造物４のコンクリート台座４ａと下部構造物５のコンクリート台座５ａに複数本のボルト等の締結部材６を介して取付けられている。
【００１１】
前記免震装置１の外周囲には、所定の間隔（空間）７を隔ててシート状の耐火被覆材８が覆うように配設してある。
【００１２】
前記耐火被覆材８は、表面側を、発泡性のポリイソブチレンゴムシートの外層被覆材１１により構成すると共に、その内側に耐炎化クロス１２（ガラス繊維等で構成された布）と、セラミックファイバーとガラス繊維との混合材から成る内層被覆材１３とを積層させて構成してある。
【００１３】
前記ポリイソブチレンゴムシートで構成される外層被覆材１１は、少なくとも上部構造物４のコンクリート台座４ａと下部構造物５のコンクリート台座５ａとの高さＨに対応した幅を有し、かつ免震装置１の外周を覆う長さ、即ち、コンクリート台座４ａ及びコンクリート台座５ａの周長に対応した長さに形成されている。
【００１４】
前記耐火被覆材８の取付けは、図２に示すように外層被覆材１１の上部取付け縁部の少なくとも表面側に所定幅の耐炎化クロス１４を貼付け、そして図３に示すような公知のリング状のクランプ部材１５（Ｔボルトクランプ）を介して前記上部構造物４のコンクリート台座４ａに締め付け固定してある。
【００１５】
前記クランプ部材１５（Ｔボルトクランプ）は、ステンレススティール製のストラップ１６，トラニオン１７，タング１８，と、合金鋼製のナット１９，Ｔボルト２０等で構成され、Ｔボルト２０のナット１９を締め付けることによりバンドにテンションが働き、更にこの力は求心方向の力に変換されて締め付け固定出来るように構成されている。
【００１６】
また、この発明の実施形態では、外層被覆材１１の上部取付け縁部の少なくとも表面側に所定幅の耐炎化クロス１４を貼付けておくことで、外部からの火炎によりクランプ部材１５の取付け部の耐火被覆材８が損傷することなく、安心して使用できるものである。
【００１７】
以上のように、耐火被覆材８の取付け施工時には、表面側に貼付けた耐炎化クロス１４を介してリング状のクランプ部材１５により取付けることが出来るので、耐火被覆材８に取付け用の孔等を形成したり、また上部構造物４のコンクリート台座４ａの側面に埋め込みナット等を埋設する必要がなく、簡単にしかも短時間に取付け，取外しが出来る。また、クランプ部材１５は、長さ、幅を自由に設定できるので、免震装置の大きさに応じて任意に使用出来る。
【００１８】
【発明の効果】
この発明は上記のように、耐火被覆材は、ポリイソブチレンゴムシートの外層被覆材と、その内側に配設する耐炎化クロス、セラミックファイバーとガラス繊維との混合材から成る内層被覆材との積層構造から構成され、前記耐火被覆材の上部取付け縁部を、外層被覆材の上部取付け縁部の少なくとも表面側に耐炎化クロスを貼付け、リング状のクランプ部材を介して上部構造物のコンクリート台座に締め付け固定したので、耐火被覆材に取付け用の孔等を形成したり、また上部構造物のコンクリート台座の側面に埋め込みナット等を埋設する必要がなく、簡単にしかも短時間に取付け，取外しが出来、コストダウンを図ることが出来ると共に、また、クランプ部材は、長さ、幅を自由に設定できるので、免震装置の大きさに応じて任意に使用出来る効果がある。
【図面の簡単な説明】
【図１】この発明の実施形態を示す免震装置を設置した状態の半断面図である。
【図２】図１のＸ部の拡大断面図である。
【図３】クランプ部材の正面図である。
【符号の説明】
１  免震装置
１ａ  鋼板
１ｂ  ゴムシート
２  上部フランジ
３  下部フランジ
４  上部構造物
４ａ  コンクリート台座
５  下部構造物
５ａ  コンクリート台座
６  締結部材
７  間隔（空間）
８  耐火被覆材
１１  ポリイソブチレンゴムシートの外層被覆材
１２  耐炎化クロス（ガラス繊維等で構成された布）
１３  内層被覆材
１４  耐炎化クロス
１５  クランプ部材（Ｔボルトクランプ）
１６  ストラップ
１７  トラニオン
１８  タング
１９  ナット
２０  Ｔボルト
【図１】
0004155349.tif 000002
【図２】
0004155349.tif 000003
【図３】
0004155349.tif 000004